(57)【特許請求の範囲】
【請求項１】
移動端末装置と基地局間でデータ通信を行う移動通信システムにおいて、
前記移動端末装置は、
前記基地局から送信された下り再送情報を検出する再送情報検出手段と、
前記再送情報検出手段で検出された前記下り再送情報の再送応答又は非再送応答が前回の上り送信パケットに対応するとき再送応答又は非再送応答として集計し、前記下り再送情報における再送応答又は非再送応答が前回の上り未送信に対応するとき未送信として集計し、再送応答集計数と非再送応答集計数と未送信集計数を集計情報として前記基地局に送信する集計手段を
有することを特徴とする移動通信システム。
【請求項２】
請求項１記載の移動通信システムにおいて、
前記基地局は、
前記集計手段が送信する集計情報を受信する集計情報受信手段と、
前記集計情報受信手段で受信した前記集計情報から再送応答率を算出し、算出した再送応答率が所定の再送応答上限閾値以上のとき前記移動端末装置が送信する上り送信電力を上げる制御を行う上り送信電力制御手段を
有することを特徴とする移動通信システム。
【請求項３】
請求項２記載の移動通信システムにおいて、
前記基地局は、
前記集計情報受信手段で受信した前記集計情報から未送信率を算出し、算出した未送信率が所定の未送信上限閾値以上のとき前記下り再送情報の送信電力を上げる制御を行う下り送信電力制御手段を
有することを特徴とする移動通信システム。
【請求項４】
データ通信を行う移動通信システムの移動端末装置において、
基地局から送信された下り再送情報を検出する再送情報検出手段と、
前記再送情報検出手段で検出された前記下り再送情報の再送応答又は非再送応答が前回の上り送信パケットに対応するとき再送応答又は非再送応答として集計し、前記下り再送情報における再送応答又は非再送応答が前回の上り未送信に対応するとき未送信として集計し、再送応答集計数と非再送応答集計数と未送信集計数を集計情報として前記基地局に送信する集計手段を
有することを特徴とする移動端末装置。
【請求項５】
請求項４記載の移動端末装置と無線接続される基地局において、
前記集計手段が送信する集計情報を受信する集計情報受信手段と、
前記集計情報受信手段で受信した前記集計情報から再送応答率を算出し、算出した再送応答率が所定の再送応答上限閾値以上のとき前記移動端末装置が送信する上り送信電力を上げる制御を行う上り送信電力制御手段を
有することを特徴とする基地局。
【請求項６】
請求項５記載の基地局において、
前記集計情報受信手段で受信した前記集計情報から未送信率を算出し、算出した未送信率が所定の未送信上限閾値以上のとき前記下り再送情報の送信電力を上げる制御を行う下り送信電力制御手段を
有することを特徴とする基地局。
【発明の詳細な説明】
【技術分野】
【０００１】
本発明は、移動通信システム及びその移動端末装置と基地局に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ）リリース６で規定されたＨＳＵＰＡ（Ｈｉｇｈ  Ｓｐｅｅｄ  Ｕｐｌｉｎｋ  Ｐａｃｋｅｔ  Ａｃｃｅｓｓ）は移動通信システムにおける上り方向の高速化を行うパケット通信規格である。ＨＳＵＰＡにおいては、移動端末（ＵＥ）のパワー制御は、基地局（Ｎｏｄｅ−Ｂ）からＵＥに対し送信されるＲＲＣ（Ｒａｄｉｏ  Ｒｅｓｏｕｒｃｅ  Ｃｏｎｔｒｏｌ）プロトコルにて初期送信電力とΔＨＡＲＱ（パワーオフセット）が指示された後、Ｅ−ＡＧＣＨ（Ｅｎｈａｎｃｅｄ−Ａｂｓｏｌｕｔｅ  Ｇｒａｎｔ  Ｃｈａｎｎｅｌ）とＥ−ＲＧＣＨ（Ｅｎｈａｎｃｅｄ−Ｒｅｌａｔｉｖｅ  Ｇｒａｎｔ  Ｃｈａｎｎｅｌ）と呼ばれるＳＧ（Ｓｅｒｖｉｎｇ  Ｇｒａｎｔ：送信許可）情報を載せる下り個別チャネルが利用される。
【０００３】
Ｅ−ＡＧＣＨは移動端末が送信を許されるＥ−ＤＣＨ（Ｅｎｈａｎｃｅｄ−Ｄｅｄｉｃａｔｅｄ  Ｃｈａｎｎｅｌ）の送信電力を通知し、Ｅ−ＲＧＣＨはＥ−ＡＧＣＨで通知した送信電力に対して一定幅で送信電力を更新する更新情報（ＵＰ、ＤＯＷＮ、ＨＯＬＤ）を通知する。
【０００４】
移動端末は、基地局からのＳＧ情報に従いＥ−ＤＣＨ送信電力を計算し、Ｅ−ＤＰＣＣＨ（Ｅｎｈａｎｃｅｄ−Ｄｅｄｉｃａｔｅｄ  Ｐｈｙｓｉｃａｌ  Ｃｏｎｔｒｏｌ  Ｃｈａｎｎｅｌ）とＥ−ＤＰＤＣＨ（Ｅｎｈａｎｃｅｄ−Ｄｅｄｉｃａｔｅｄ  Ｐｈｙｓｉｃａｌ  Ｄａｔａ  Ｃｈａｎｎｅｌ）を送信する。Ｅ−ＤＰＤＣＨはＨＳＵＰＡの上りデータチャネルであり、Ｅ−ＤＰＣＣＨはＥ−ＴＦＣＩ、ＲＳＮ、Ｈａｐｐｙ  ｂｉｔがマッピングされたＥ−ＤＰＤＣＨに関する制御情報である。基地局はＥ−ＤＰＤＣＨに対するＨＡＲＱ情報（ＡＣＫ、ＮＡＣＫ）をＥ−ＨＩＣＨ（Ｅｎｈａｎｃｅｄ  ＡＲＱ  Ｉｎｄｉｃａｔｏｒ  Ｃｈａｎｎｅｌ）にマッピングして送信する。
【０００５】
ＨＳＵＰＡの送信手順は以下となる。
（１）移動端末はＥ−ＤＰＤＣＨで送信したいデータがある場合、ＳＩ（Ｓｃｈｅｄｕｌｉｎｇ  Ｉｎｆｏｒｍａｔｉｏｎ）にて送信したいデータ量、送信データの優先情報を基地局に対して送信して、無線リソースの割り当てを要求する。
（２）基地局は、複数の移動端末からのＳＩを集計し、事前に監視していた各移動端末の通信品質、優先情報により、移動端末からの送信データ制御のスケジューリングを行う。その結果、各移動端末に対して、ＳＧ情報を基地局から移動端末に対して通知する。
（３）ＳＧ（Ｓｅｒｖｉｎｇ  Ｇｒａｎｔ）情報は、「Ａｂｓｏｌｕｔｅ  Ｇｒａｎｔ」と「Ｒｅｌａｔｉｖｅ  Ｇｒａｎｔ」の２種類があり、それぞれ、Ｅ−ＡＧＣＨ、Ｅ−ＲＧＣＨにマッピングされる。「Ａｂｓｏｌｕｔｅ  Ｇｒａｎｔ」は、移動端末が送信することを許される最大送信電力を通知して、「Ｒｅｌａｔｉｖｅ  Ｇｒａｎｔ」は「Ａｂｓｏｌｕｔｅ  Ｇｒａｎｔ」で通知した内容を一定幅で上げる（ＵＰ）／下げる（ＤＯＷＮ）／送信電力値保持（ＨＯＬＤ）の３値を通知する。
【０００６】
移動端末は、基地局からのＳＧ情報に従い、Ｅ−ＤＰＣＣＨとＥ−ＤＰＤＣＨを送信する。Ｅ−ＤＰＣＣＨにはＥ−ＴＦＣＩ、ＲＳＮ、Ｈａｐｐｙ  ｂｉｔがマッピングされていて、上りデータに関する制御情報が送信される。上りユーザデータはＥ−ＤＰＤＣＨで送信される。Ｅ−ＴＦＣＩ（Ｅ−ＤＣＨ  Ｔｒａｎｓｐｏｒｔ  Ｆｏｒｍａｔ  Ｃｏｍｂｉｎａｔｉｏｎ  Ｉｎｄｉｃａｔｏｒ）はレート情報等の制御情報であり、ＲＳＮはシーケンス番号である。Ｈａｐｐｙ  ｂｉｔは、移動端末の上りリソースが使用可能か否かを示すビットである。
【０００７】
Ｕｎｈａｐｐｙ（上りリソース使用不可）は、以下の３条件を満たすときに送信し、それ以外の条件のときはＨａｐｐｙを送信する。
（Ａ）「Ａｂｓｏｌｕｔｅ  Ｇｒａｎｔ」と「Ｒｅｌａｔｉｖｅ  Ｇｒａｎｔ」で許可された送信電力の上限にて上りデータを送信している。
（Ｂ）  移動端末が送信可能な最大送信電力は、（Ａ）で許可された送信電力よりも大きく、より高速でデータ送信できるパワーがまだある。
（Ｃ）移動端末のバッファにたまっている送信データを予め指定された時間内に送りきれない。
【０００８】
すなわち、移動端末が送信可能な最大送信電力には至っていないが（Ｂ）、基地局から許可されている送信電力いっぱいで送信している（Ａ）。しかし、移動端末としては上り送信データのスループットを上げたい（Ｃ）。この状況で、基地局からのＲｅｌａｔｉｖｅ  Ｇｒａｎｔを上げてくれるよう移動端末から基地局にＵｎｈａｐｐｙを送信する。
【０００９】
基地局は同一セル内の各移動端末からのＨａｐｐｙ  ｂｉｔと各移動端末からのＳＩ（送信データの優先順位）にて最終的に各移動端末に対するＲｅｌａｔｉｖｅ  Ｇｒａｎｔの値を決定する。基地局から移動端末に対して指示されるＲｅｌａｔｉｖｅ  ＧｒａｎｔはＨＳＵＰＡ呼接続前に移動端末から基地局に通知するＳＩと、ＨＳＤＰＡ呼接続中にＥ−ＤＰＣＣＨで送信するＨａｐｐｙ  ｂｉｔにて移動端末で送信可能な電力を基地局がスケジューリングすることにより通知する。移動端末ではＵＰ指示を受領した場合はより大きい電力でＥ−ＤＰＤＣＨ及びＥ−ＤＰＣＣＨを送信可能となり、大量のユーザデータを送信可能となり、上りスループットは増加する。ＤＯＷＮ指示を受領した場合はより小さな電力で送信制限となり、上りスループットは減少する。
（４）移動端末から基地局へのＥ−ＤＰＤＣＨが基地局内で受領してＣＲＣチェック＝ＯＫとなった場合に基地局はＡＣＫをＥ−ＨＩＣＨにマッピングして送信し、Ｅ−ＤＣＨを受領してＣＲＣチェック＝ＮＧとなった場合はＤＴＸ（Ｄｉｓｃｏｎｔｉｎｕｏｕｓ  Ｔｒａｎｓｍｉｓｓｉｏｎ）をＥ−ＨＩＣＨにマッピングして送信する。これは、何も送信しないことと等価である。
（５）移動端末はＡＣＫを受領した場合、該当データは送信達成と認識して次データを送信する。ＮＡＣＫあるいはＤＴＸを受領した場合は、該当データは送信未達と認識して同一データを再送する。
【００１０】
図１に示すように、上りＥ−ＤＰＤＣＨ送信がＯＫ／ＮＧ混在の状態においては、下りＥ−ＨＩＣＨのＡＣＫ／ＮＡＣＫとＥ−ＨＩＣＨの状態に応じて再送制御を行う。Ｅ−ＤＣＨ  ＴＴＩ（Ｔｒａｎｓｍｉｓｓｉｏｎ  Ｔｉｍｅ  Ｉｎｔｅｒｖａｌ）＝１０ｍｓの場合はプロセス＃０〜＃３の４プロセスを順番に送信する。例えばプロセス０のＥ−ＤＰＤＣＨでは、新規パケットＰＫＴ１の送信に対してＨＩＣＨでＡＣＫが返送されるため、次のプロセス０のＥ−ＤＰＤＣＨでは新規パケットＰＫＴ５を送信する。また、プロセス１のＥ−ＤＰＤＣＨでは新規パケットＰＫＴ２の送信に対してＨＩＣＨでＮＡＣＫが返送されるため、次のプロセス１のＥ−ＤＰＤＣＨでは再送パケットＰＫＴ２を送信する。また、プロセス２のＥ−ＤＰＤＣＨでは新規パケットＰＫＴ３の送信に対してＨＩＣＨでＡＣＫが返送されるため、次のプロセス２のＥ−ＤＰＤＣＨでは新規パケットＰＫＴ６を送信する。なお、Ｅ−ＤＣＨ  ＴＴＩ＝２ｍｓの場合はプロセス＃０〜＃７の８プロセスを順番に送信する。
【００１１】
次に、上りＥ−ＤＰＤＣＨの送信がないＤＴＸの場合を図２に示す。Ｅ−ＤＰＤＣＨはパケットデータなので、データの有無がＴＴＩ＝２ｍｓｅｃ（又は１０ｍｓｅｃ）単位で生じ、データ無をＤＴＸと呼んでいる。図２ではパケットＰＫＴ３，ＰＫＴ５をＤＴＸとしている。ＰＫＴ３、ＰＫＴ５を送信しないＤＴＸの場合は、下りＨＩＣＨではＡＣＫでもＮＡＣＫでもないＤＴＸが返送される。
【００１２】
Ｅ−ＨＩＣＨにおいて、ＡＣＫ，ＮＡＣＫ，ＤＴＸは例えばＢＰＳＫ（Ｂｉｎａｒｙ  Ｐｈａｓｅ  Ｓｈｉｆｔ  Ｋｅｙｉｎｇ)で変調された信号であり、移動端末では、Ｅ−ＨＩＣＨの信号振幅がプラス側でＡＣＫ閾値を超えて大きい場合ＡＣＫと判定される。また、移動端末では信号振幅がマイナス側でＮＡＣＫ閾値未満の場合ＮＡＣＫと判定され、信号振幅がＮＡＣＫ閾値以上かつＡＣＫ閾値以下の場合であればＤＴＸと判定される。移動端末では、下りＥ−ＨＩＣＨで通知されるＡＣＫをＡＫＣ数としてカウントし、ＮＡＣＫ又はＤＴＸをＮＡＣＫとしてカウントして、メジャーメント報告としてデバック目的で基地局に通知している。これは下りＥ−ＨＩＣＨで通知されるＡＣＫを受信したら、先に送信したＥ−ＤＰＤＣＨはＢＴＳ側に到達されたとして次の送信は新規パケットの送信を行い、ＮＡＣＫ，ＤＴＸは両方ともＮＡＣＫとし、先に送信したＥ−ＤＰＤＣＨはＢＴＳ側に到達していないとして次の送信は前回と同一のパケットを再送するという３ＧＰＰ仕様があるためである。
【００１３】
ところで、ＨＡＲＱ受信端が伝送パケットに対応するＴＦＲＩとＮＤＩを受信し、上記ＴＦＲＩとＮＤＩに基づいてＤＴＸ−ＮＡＣＫエラーの有無を判断し、ＤＴＸ−ＮＡＣＫエラーがあると判断した場合に、紛失した伝送パケットを示すエラー報告信号をＨＡＲＱ送信端に送る技術が知られている（例えば特許文献１参照）。
【先行技術文献】
【特許文献】
【００１４】
【特許文献１】特開２００８−５４９２号公報
【発明の概要】
【発明が解決しようとする課題】
【００１５】
上りで送信したＥ−ＤＰＤＣＨのトランスポートブロック数のうち、実際にパケットを送信してＣＲＣチェック＝ＮＧになった場合のＮＡＣＫの返送と、Ｅ−ＤＰＤＣＨのＤＴＸ送信によるＤＴＸの返送の区別がつかないために、実際にＥ−ＤＰＤＣＨで送信したパケットのうち基地局に届かないパケット数が分からないという問題があった。もし、実際に送信したＥ−ＤＰＤＣＨのうち基地局に届かない個数が分かれば、Ｅ−ＤＰＤＣＨの送信パワーが足りない等の送信側移動端末に問題があることを推定でき、上りＥ−ＤＰＤＣＨが届くように改善することも可能となる。
【００１６】
また、下りＥ−ＨＩＣＨは基地局から移動端末への送信電力が一定であるために、セル辺境ではＨＩＣＨ結果を誤検出するおそれがある。例えば、下りＨＩＣＨを基地局から移動端末へ送信する過程で、ＤＴＸをＡＣＫあるいはＮＡＣＫへ誤検出するおそれがある。また、逆にＡＣＫをＤＴＸと誤検出、あるいは、ＮＡＣＫをＤＴＸと誤検出するおそれがある。このような誤検出が発生した場合、本来、再送するべきところで新規送信を行ってしまう、あるいは、本来、新規送信するべきところを再送してしまうことになり、移動端末のスループット低下につながるという問題があった。
【００１７】
開示の移動通信システムは、上り送信パケットのうち基地局に届かないパケット数を正確に知ることができることを目的とする。
【課題を解決するための手段】
【００１８】
開示の一実施形態による移動通信システムは、移動端末装置と基地局間でデータ通信を行う移動通信システムにおいて、
前記移動端末装置は、
前記基地局から送信された下り再送情報を検出する再送情報検出手段と、
前記再送情報検出手段で検出された前記下り再送情報の再送応答又は非再送応答が前回の上り送信パケットに対応するとき再送応答又は非再送応答として集計し、前記下り再送情報における再送応答又は非再送応答が前回の上り未送信に対応するとき未送信として集計し、再送応答集計数と非再送応答集計数と未送信集計数を集計情報として前記基地局に送信する集計手段を有する。
【発明の効果】
【００１９】
本実施形態によれば、上り送信パケットのうち基地局に届かないパケット数を正確に知ることができる。
【図面の簡単な説明】
【００２０】
【図１】再送制御を説明するための図である。
【図２】ＤＴＸの場合の再送制御を説明するための図である。
【図３】移動通信システムにおける移動端末装置と基地局の一実施形態の構成図である。
【図４】基地局の制御部の一実施形態の構成図である。
【図５】移動端末装置が実行する送受信処理の一実施形態のフローチャートである。
【図６】移動端末装置が実行する集計処理の一実施形態のフローチャートである。
【図７】基地局が実行する上り送信電力制御処理の一実施形態のフローチャートである。
【図８】基地局が実行する下り送信電力制御処理の一実施形態のフローチャートである。
【発明を実施するための形態】
【００２１】
以下、図面に基づいて実施形態を説明する。
【００２２】
＜移動端末装置と基地局の構成＞
図３は移動通信システムにおける移動端末装置と基地局の一実施形態の構成図を示す。図３において、移動端末装置１０のアンテナ１１で受信された信号は受信部１２に供給される。受信部１２はＥ−ＲＧＣＨ，Ｅ−ＡＧＣＨ，ＨＩＣＨを復調して、ＡＧ／ＲＧ検出部１３，ＡＣＫ／ＮＡＣＫ検出部１４に供給する。
【００２３】
ＡＧ／ＲＧ検出部１３はＥ−ＲＧＣＨからＵＰ、ＤＯＷＮ、ＨＯＬＤのＲＧ情報を検出し、Ｅ−ＡＧＣＨから最大送信電力であるＡＧ情報を検出し、検出したＲＧ情報とＡＧ情報を送信電力決定部１５に供給する。
【００２４】
ＡＣＫ／ＮＡＣＫ検出部１４は下りの再送情報であるＥ−ＨＩＣＨからＡＣＫ、ＮＡＣＫ、ＤＴＸを検出してメジャーメント報告部１６及びＥ−ＤＰＤＣＨデータ生成部１７に供給する。なお、ＡＣＫ／ＮＡＣＫ検出部１４は信号振幅がプラス側でＡＣＫ閾値を超えて大きい場合ＡＣＫを検出し、信号振幅がマイナス側でＮＡＣＫ閾値未満の場合ＮＡＣＫを検出し、信号振幅がＮＡＣＫ閾値以上でＡＣＫ閾値以下の場合であればＤＴＸを検出する。
【００２５】
送信電力決定部１５はＡＧ／ＲＧ検出部１３から供給されるＲＧ情報及びＡＧ情報に基づいて送信電力を決定して送信部１９に通知する。
【００２６】
Ｅ−ＤＰＤＣＨデータ生成部１７はＡＣＫ／ＮＡＣＫ検出部１４から供給されるＡＣＫ、ＮＡＣＫ、ＤＴＸの検出情報に応じ、ＡＣＫに対しては新規パケットを選択し、ＮＡＣＫに対しては再送パケットを選択し、選択したパケットでＥ−ＤＰＤＣＨデータを生成し送信部１９に供給する。
【００２７】
Ｅ−ＤＰＣＣＨデータ生成部１８は自装置の上位レイヤからの指示により、ＳＩ、Ｅ−ＴＦＣＩ、ＲＳＮ、Ｈａｐｐｙ  ｂｉｔ等の情報をマッピングしたＥ−ＤＰＣＣＨデータを生成して送信部１９に供給する。送信部１９はＥ−ＤＰＤＣＨデータ生成部１７からのＥ−ＤＰＤＣＨ及びＥ−ＤＰＣＣＨデータ生成部１８からのＥ−ＤＰＤＣＨを、送信電力決定部１５から通知された送信電力でアンテナ１１から送信する。
【００２８】
メジャーメント報告部１６はＥ−ＤＰＤＣＨデータ生成部１７からＴＴＩ＝１０ｍｓの場合の４プロセス又はＴＴＩ＝２ｍｓの場合の８プロセス、それぞれのプロセスにおいてＥ−ＤＰＤＣＨで送信したパケットの番号を送信部１９から供給されて保持している。メジャーメント報告部１６はＥ−ＨＩＣＨで検出したＡＣＫのうち、保持している各プロセスの前回Ｅ−ＤＰＤＣＨの送信パケットに対応するＡＣＫは非再送応答「ＡＣＫ」と認識し、各プロセスの前回Ｅ−ＤＰＤＣＨの未送信（ＤＴＸ）に対応するＡＣＫは未送信「ＤＴＸ」と認識する。また、メジャーメント報告部１６はＥ−ＨＩＣＨで検出したＮＡＣＫのうち、各プロセスの前回Ｅ−ＤＰＤＣＨの送信パケットに対応するＮＡＣＫは再送応答「ＮＡＣＫ」と認識し、各プロセスの前回Ｅ−ＤＰＤＣＨの未送信（ＤＴＸ）に対応するＮＡＣＫは未送信「ＤＴＸ」と認識する。そして、メジャーメント報告部１６は上記の認識した「ＡＣＫ」、「ＮＡＣＫ」、「ＤＴＸ」それぞれの数を集計する。
【００２９】
メジャーメント報告部１６はＡＣＫ集計数、ＮＡＣＫ集計数、ＤＴＸ集計数を例えば数ｍｓｅｃ〜数ｓｅｃ程度の報告周期毎に自装置の上位レイヤを経由して、レイヤ３メッセージとして基地局側に通知する。
【００３０】
これにより、ＤＴＸをＡＣＫ又はＮＡＣＫと誤検出する確率を軽減できる。また、ＮＡＣＫ集計数が正確にＥ−ＤＰＤＣＨ送信で届かなかった回数となり、実際に送信したＥ−ＤＰＤＣＨにおけるＡＣＫ／ＮＡＣＫ率が分かる。このことはデバック効率化の改善に寄与する。
【００３１】
＜制御部の構成＞
図３において、基地局３０のアンテナ３１で受信された信号は受信部３２に供給される。受信部３２はＥ−ＤＣＨを復調して制御部３３に供給する。制御部３３はＥ−ＲＧＣＨ，Ｅ−ＡＧＣＨ，ＨＩＣＨを生成して送信部３４に供給する。送信部３４は制御部３３から供給されるＥ−ＲＧＣＨ，Ｅ−ＡＧＣＨ，ＨＩＣＨをアンテナ３１から送信する。
【００３２】
図４は基地局３０における制御部３３の一実施形態の構成図を示す。図４において、制御部３３内の情報取得部４１は移動端末装置１０から送信されたレイヤ３メッセージを解析して、ＡＣＫ集計数、ＮＡＣＫ集計数、ＤＴＸ集計数それぞれを取得し、ＮＡＣＫ率計算部４２とＤＴＸ率計算部４３に供給する。
【００３３】
ＮＡＣＫ率計算部４２はＮＡＣＫ率（ＮＡＣＫ率＝ＮＡＣＫ集計数／（ＡＣＫ集計数＋ＮＡＣＫ集計数））を計算してＲＧ／ＡＧ制御部４４に供給する。ＲＧ／ＡＧ制御部４４はＮＡＣＫ率を例えば５０％程度の再送応答上限閾値である第１閾値と比較して、ＮＡＣＫ率が第１閾値以上であること、もしくは、ＮＡＣＫ率が第１閾値以上の状態が一定時間（ｔＮＡＣＫ）だけ持続したことを検出すると、上りＥ−ＤＣＨが基地局に届いていないと判断し、Ｅ−ＲＧＣＨ＆Ｅ−ＡＧＣＨ送信部４５から送信するＥ−ＲＧＣＨのＲＧ又はＥ−ＡＧＣＨのＡＧを所定量（例えば１ｄＢ程度）だけ上げる方向に制御する。これにより、移動端末装置の上りＥ−ＤＣＨ送信電力は上げる方向に制御され、上りＥ−ＤＣＨのスループットが向上する。
【００３４】
なお、ＲＧ／ＡＧ制御部４４はＮＡＣＫ率を例えば２０％程度の再送応答下限閾値である第２閾値と比較して、ＮＡＣＫ率が第２閾値以下であること、もしくは、ＮＡＣＫ率が第２閾値以下の状態が一定時間（ｔＮＡＣＫ）だけ持続したことを検出すると、Ｅ−ＲＧＣＨ＆Ｅ−ＡＧＣＨ送信部４５から送信するＥ−ＲＧＣＨのＲＧ又はＥ−ＡＧＣＨのＡＧを所定量（例えば１ｄＢ程度）だけ下げる方向に制御する。これにより、移動端末装置の上りＥ−ＤＣＨ送信電力が過大となることを防止できる。
【００３５】
ＤＴＸ率計算部４３はＤＴＸ率（ＤＴＸ率＝ＤＴＸ集計数／（ＡＣＫ集計数＋ＮＡＣＫ集計数））を計算してＥ−ＨＩＣＨ制御部４６に供給する。Ｅ−ＨＩＣＨ制御部４６はＤＴＸ率を例えば５０％程度の未送信上限閾値である第３閾値と比較して、ＤＴＸ率が第３閾値以上であること、もしくは、ＤＴＸ率が第３閾値以上の状態が一定時間（ｔＤＴＸ）だけ持続したことを検出すると、下りＨＩＣＨが移動端末に届いていないと判断し、Ｅ−ＨＩＣＨ送信部４７から送信するＥ−ＨＩＣＨ送信電力を所定量（例えば１ｄＢ程度）だけ上げる方向に制御する。このように、Ｅ−ＨＩＣＨ送信電力を上げることで下りＥ−ＨＩＣＨのスループットが向上する。
【００３６】
なお、Ｅ−ＨＩＣＨ制御部４６はＤＴＸ率を例えば２０％程度の未送信下限閾値である第４閾値と比較して、ＤＴＸ率が第４閾値以下であること、もしくは、ＤＴＸ率が第４閾値以下の状態が一定時間（ｔＤＴＸ）だけ持続したことを検出すると、Ｅ−ＨＩＣＨ送信部４７から送信するＥ−ＨＩＣＨ送信電力を所定量（例えば１ｄＢ程度）だけ下げる方向に制御する。これにより、下りＥ−ＨＩＣＨ送信電力が過大となることを防止できる。
【００３７】
＜移動端末が実行する送受信処理＞
図５は移動端末装置１０が実行する送受信処理の一実施形態のフローチャートを示す。Ｅ−ＤＣＨ  ＴＴＩ周期で実行されるステップＳ１１において受信部１２はＥ−ＨＩＣＨ，Ｅ−ＲＧＣＨ，Ｅ−ＡＧＣＨを受信する。次に、ステップＳ１２でＡＣＫ／ＮＡＣＫ検出部１４は受信したＥ−ＨＩＣＨからＡＣＫ、ＮＡＣＫ、ＤＴＸを検出してメジャーメント報告部１６に供給する。
【００３８】
ステップＳ１３でメジャーメント報告部１６はＥ−ＨＩＣＨから検出したＡＣＫのうち、前回Ｅ−ＤＰＤＣＨの送信パケットに対応するＡＣＫは「ＡＣＫ」と認識し、前回Ｅ−ＤＰＤＣＨの未送信（ＤＴＸ）に対応するＡＣＫは「ＤＴＸ」と認識する。また、Ｅ−ＨＩＣＨで検出したＮＡＣＫのうち、前回Ｅ−ＤＰＤＣＨの送信パケットに対応するＮＡＣＫは「ＮＡＣＫ」と認識し、前回Ｅ−ＤＰＤＣＨの未送信（ＤＴＸ）に対応するＮＡＣＫは「ＤＴＸ」と認識する。そして、集計を行いＡＣＫ集計数、ＮＡＣＫ集計数、ＤＴＸ集計数を得る。
【００３９】
ステップＳ１４でメジャーメント報告部１６はＡＣＫ集計数、ＮＡＣＫ集計数、ＤＴＸ集計数それぞれを自装置の上位レイヤを経由して、移動端末から基地局側に送信する。
【００４０】
次に、ステップＳ１５でＥ−ＤＰＤＣＨデータ生成部１７はＡＣＫ／ＮＡＣＫ検出部１４から供給される検出結果がＡＣＫであるか否かを判別する。検出結果がＡＣＫであればステップＳ１６でＥ−ＤＰＤＣＨデータ生成部１７は次のデータつまり新規パケットを用いてＥ−ＤＰＤＣＨデータを生成する。また、検出結果がＮＡＣＫであればステップＳ１７でＥ−ＤＰＤＣＨデータ生成部１７は再送パケットを用いてＥ−ＤＰＤＣＨデータを生成する。
【００４１】
次に、ステップＳ１８で送信電力決定部１５はＥ−ＲＧＣＨ、Ｅ−ＡＧＣＨに基づいて送信電力を決定し、ステップＳ１９で送信部１９は上りＥ−ＤＣＨを送信する。
【００４２】
＜移動端末が実行する集計処理＞
図６は移動端末装置１０が実行する集計処理の一実施形態のフローチャートを示す。Ｅ−ＤＣＨ  ＴＴＩ周期で実行されるステップＳ２１で受信部１２はＥ−ＨＩＣＨを受信し、ＡＣＫ／ＮＡＣＫ検出部１４で受信したＥ−ＨＩＣＨからＡＣＫ、ＮＡＣＫ、ＤＴＸを検出する。
【００４３】
ステップＳ２２でメジャーメント報告部１６はＥ−ＨＩＣＨからＮＡＣＫ又はＡＣＫが検出されたか否かを判別する。ＮＡＣＫの検出であればステップＳ２４でメジャーメント報告部１６は前回Ｅ−ＤＰＤＣＨの送信パケットに対応するＮＡＣＫであるか否かを判別する。前回Ｅ−ＤＰＤＣＨの送信パケットに対応するＮＡＣＫであれば、ステップＳ２５でＮＡＣＫと認識し、前回Ｅ−ＤＰＤＣＨの未送信に対応するＮＡＣＫであればステップＳ２６でＤＴＸと認識する。
【００４４】
一方、ステップＳ２２でＡＣＫの検出であれば、ステップＳ２７でメジャーメント報告部１６は前回Ｅ−ＤＰＤＣＨの送信パケットに対応するＡＣＫであるか否かを判別する。前回Ｅ−ＤＰＤＣＨの送信パケットに対応するＡＣＫであれば、ステップＳ２８でＡＣＫと認識し、前回Ｅ−ＤＰＤＣＨの未送信に対応するＡＣＫであればステップＳ２６でＤＴＸと認識する。
【００４５】
次に、ステップＳ２９でメジャーメント報告部１６は認識したＡＣＫ、ＮＡＣＫ、ＤＴＸそれぞれの数を集計する。そして、ステップＳ３０で報告周期であるか否かを判別し、報告周期でなければステップＳＳ２１に進む。報告周期であればステップＳ３１でメジャーメント報告部１６はＡＣＫ集計数、ＮＡＣＫ集計数、ＤＴＸ集計数を自装置の上位レイヤを経由して、レイヤ３メッセージとして基地局側に通知する。
【００４６】
＜基地局が実行する上り送信電力制御処理＞
図７は基地局１０が実行する上り送信電力制御処理の一実施形態のフローチャートを示す。Ｅ−ＤＣＨ  ＴＴＩ周期で実行されるステップＳ４０でＮＡＣＫ率計算部４２はＡＣＫ集計数、ＮＡＣＫ集計数、ＤＴＸ集計数からＮＡＣＫ率（ＮＡＣＫ率＝ＮＡＣＫ集計数／（ＡＣＫ集計数＋ＮＡＣＫ集計数））を計算する。
【００４７】
ステップＳ４１でＲＧ／ＡＧ制御部４４はＮＡＣＫ率が例えば５０％程度の第１閾値以上か否かを判別し、ＮＡＣＫ率が第１閾値以上であれば、ステップＳ４２でＥ−ＲＧＣＨ＆Ｅ−ＡＧＣＨ送信部４５から送信するＥ−ＲＧＣＨのＲＧ又はＥ−ＡＧＣＨのＡＧを上げる方向に制御する。これにより、移動端末の上りＥ−ＤＣＨ送信電力は上げる方向に制御される。
【００４８】
一方、ＮＡＣＫ率が第１閾値未満であれば、ステップＳ４３でＲＧ／ＡＧ制御部４４はＮＡＣＫ率が例えば２０％程度の第２閾値以下か否かを判別し、ＮＡＣＫ率が第２閾値以下であれば、上りＥ−ＤＣＨ送信電力が過剰として、ステップＳ４４でＥ−ＲＧＣＨ＆Ｅ−ＡＧＣＨ送信部４５から送信するＥ−ＲＧＣＨのＲＧ又はＥ−ＡＧＣＨのＡＧを下げる方向に制御する。
【００４９】
ステップＳ４２又はＳ４４を実行した後、又はステップＳ４３でＮＡＣＫ率が第２閾値を超えていればステップＳ４０に進む。
【００５０】
＜基地局が実行する下り送信電力制御処理＞
図８は基地局１０が実行する下り送信電力制御処理の一実施形態のフローチャートを示す。Ｅ−ＤＣＨ  ＴＴＩ周期で実行されるステップＳ５０でＤＴＸ率計算部４３はＡＣＫ集計数、ＮＡＣＫ集計数、ＤＴＸ集計数からＤＴＸ率（ＤＴＸ率＝ＤＴＸ集計数／（ＡＣＫ集計数＋ＮＡＣＫ集計数））を計算する。
【００５１】
ステップＳ５１でＥ−ＨＩＣＨ制御部４６はＤＴＸ率が例えば５０％程度の第３閾値以上か否かを判別し、ＤＴＸ率が第３閾値以上であれば、ステップＳ５２でＥ−ＨＩＣＨ送信部４７から送信する下りＥ−ＨＩＣＨ送信電力を上げる方向に制御する。
【００５２】
一方、ＤＴＸ率が第３閾値未満であれば、ステップＳ５３でＥ−ＨＩＣＨ制御部４６はＤＴＸ率が例えば２０％程度の第４閾値以下か否かを判別し、ＤＴＸ率が第４閾値以下であれば、下りＥ−ＨＩＣＨ送信電力が過剰として、ステップＳ５４でＥ−ＨＩＣＨ送信部４７から送信する下りＥ−ＨＩＣＨ送信電力を下げる方向に制御する。
【００５３】
ステップＳ５２又はＳ５４を実行した後、又はステップＳ５３でＤＴＸ率が第４閾値を超えていればステップＳ５０に進む。
（付記１）
移動端末装置と基地局間でデータ通信を行う移動通信システムにおいて、
前記移動端末装置は、
前記基地局から送信された下り再送情報を検出する再送情報検出手段と、
前記再送情報検出手段で検出された前記下り再送情報の再送応答又は非再送応答が前回の上り送信パケットに対応するとき再送応答又は非再送応答として集計し、前記下り再送情報における再送応答又は非再送応答が前回の上り未送信に対応するとき未送信として集計し、再送応答集計数と非再送応答集計数と未送信集計数を集計情報として前記基地局に送信する集計手段を
有することを特徴とする移動通信システム。
（付記２）
付記１記載の移動通信システムにおいて、
前記基地局は、
前記集計手段が送信する集計情報を受信する集計情報受信手段と、
前記集計情報受信手段で受信した前記集計情報から再送応答率を算出し、算出した再送応答率が所定の再送応答上限閾値以上のとき前記移動端末装置が送信する上り送信電力を上げる制御を行う上り送信電力制御手段を
有することを特徴とする移動通信システム。
（付記３）
付記２記載の移動通信システムにおいて、
前記基地局は、
前記集計情報受信手段で受信した前記集計情報から未送信率を算出し、算出した未送信率が所定の未送信上限閾値以上のとき前記下り再送情報の送信電力を上げる制御を行う下り送信電力制御手段を
有することを特徴とする移動通信システム。
（付記４）
データ通信を行う移動通信システムの移動端末装置において、
基地局から送信された下り再送情報を検出する再送情報検出手段と、
前記再送情報検出手段で検出された前記下り再送情報の再送応答又は非再送応答が前回の上り送信パケットに対応するとき再送応答又は非再送応答として集計し、前記下り再送情報における再送応答又は非再送応答が前回の上り未送信に対応するとき未送信として集計し、再送応答集計数と非再送応答集計数と未送信集計数を集計情報として前記基地局に送信する集計手段を
有することを特徴とする移動端末装置。
（付記５）
付記４記載の移動端末装置と無線接続される基地局において、
前記集計手段が送信する集計情報を受信する集計情報受信手段と、
前記集計情報受信手段で受信した前記集計情報から再送応答率を算出し、算出した再送応答率が所定の再送応答上限閾値以上のとき前記移動端末装置が送信する上り送信電力を上げる制御を行う上り送信電力制御手段を
有することを特徴とする基地局。
（付記６）
付記５記載の基地局において、
前記集計情報受信手段で受信した前記集計情報から未送信率を算出し、算出した未送信率が所定の未送信上限閾値以上のとき前記下り再送情報の送信電力を上げる制御を行う下り送信電力制御手段を
有することを特徴とする基地局。
（付記７）
付記３記載の移動通信システムにおいて、
前記上り送信電力制御手段は、前記算出した再送応答率が所定の再送応答下限閾値以下のとき前記移動端末装置が送信する上り送信電力を下げる制御を行う
ことを特徴とする移動通信システム。
（付記８）
付記７記載の移動通信システムにおいて、
前記下り送信電力制御手段は、前記算出した未送信率が所定の未送信下限閾値以下のとき前記下り再送情報の送信電力を下げる制御を行う
ことを特徴とする移動通信システム。
（付記９）
付記６記載の基地局において、
前記上り送信電力制御手段は、前記算出した再送応答率が所定の再送応答下限閾値以下のとき前記移動端末装置が送信する上り送信電力を下げる制御を行う
ことを特徴とする基地局。
（付記１０）
付記９記載の基地局において、
前記下り送信電力制御手段は、前記算出した未送信率が所定の未送信下限閾値以下のとき前記下り再送情報の送信電力を下げる制御を行う
ことを特徴とする基地局。
【符号の説明】
【００５４】
１０  移動端末装置
１１  アンテナ
１２  受信部
１３  ＡＧ／ＲＧ検出部
１４  ＡＣＫ／ＮＡＣＫ検出部
１５  送信電力決定部
１６  メジャーメント報告部
１７  Ｅ−ＤＰＤＣＨデータ生成部
１８  Ｅ−ＤＰＣＣＨデータ生成部
１９  送信部
３０  基地局
３１  アンテナ
３２  受信部
３３  制御部
３４  送信部
４１  情報取得部
４２  ＮＡＣＫ率計算部
４３  ＤＴＸ率計算部
４４  ＲＧ／ＡＧ制御部
４５  Ｅ−ＲＧＣＨ＆Ｅ−ＡＧＣＨ送信部
４６  Ｅ−ＨＩＣＨ制御部
４７  Ｅ−ＨＩＣＨ送信部
【図１】
0005614185.tif 000002
【図２】
0005614185.tif 000003
【図３】
0005614185.tif 000004
【図４】
0005614185.tif 000005
【図５】
0005614185.tif 000006
【図６】
0005614185.tif 000007
【図７】
0005614185.tif 000008
【図８】
0005614185.tif 000009